【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
上枠と、下枠と、障子とを備え、障子は障子と下枠との隙間を塞ぐ気密材を有し、下枠は上面が略フラットであり且つ障子の走行方向に条状に設けた横断面略山型形状の気密材受け部を有し、気密材受け部は上端が床面と略同じ高さであり、気密材の先端が気密材受け部に当接していることを特徴とする引戸。
【手続補正２】
【補正対象書類名】明細書
【補正対象項目名】全文
【補正方法】変更
【補正の内容】
【発明の詳細な説明】
【発明の名称】引戸
【技術分野】
【０００１】
本発明は、玄関等に設けられる引戸に関するものである。
【背景技術】
【０００２】
特許文献１には、引戸において、下枠に横断面略Ｖ字状の溝条を設け、障子の下端から突設する気密材が、溝内の斜面に当接させた技術が開示されている。
【０００３】
特許文献２には、上吊引戸において、障子の下端から突設する気密材が下枠の上面に当接した技術が開示されている。
【０００４】
【特許文献１】実開平５−５８７９６号公報
【特許文献２】特開２００２−３６４２６３号公報
【発明の開示】
【発明が解決しようとする課題】
【０００５】
しかし、上述の特許文献１に開示の技術では、下枠に溝条を設けるため、溝内に埃やごみが溜まりやすいという問題がある。
【０００６】
一方、特許文献２に開示の技術では、気密材が下枠の上面に直接、当接しているため、障子の開閉時に、下枠に溜まった砂等との摩擦により気密材が摩耗し、耐用寿命が短くなる問題がある。
【０００７】
さらに、近年は床面との段差のない、いわゆるバリアフリーを考慮したものが望まれている。
【０００８】
そこで、本発明は、気密材の耐用寿命を長くすると共に、埃やごみが溜まりにくく且つバリアフリーにも対応した上吊引戸の提供を目的とする。
【課題を解決するための手段】
【０００９】
請求項１に記載の発明は、上枠と、下枠と、障子とを備え、障子は障子と下枠との隙間を塞ぐ気密材を有し、下枠は上面が略フラットであり且つ障子の走行方向に条状に設けた横断面略山型形状の気密材受け部を有し、気密材受け部は上端が床面と略同じ高さであり、気密材の先端が気密材受け部に当接していることを特徴とする。
【００１０】
【００１１】
【００１２】
【発明の効果】
【００１３】
請求項１に記載の発明によれば、気密材受け部を横断面略山型形状にしているので、砂（ごみ）や埃が気密材受け部に付着しようとすると、山型に沿って砂や埃が下方に落下して、気密材受け部に砂や埃が残らない。従って、気密材の先端が気密材受け部に当接しても、障子の開閉時に、下枠に溜まった砂等との摩擦による気密材の摩耗を防止でき、気密材の耐用寿命を長くすることができる。
【００１４】
下枠は、気密材受け部を横断面略山型形状にしたので、凹状にした場合のように、砂や埃が気密材受け部と気密材との間に入り込まず、清掃が簡単である。
【００１５】
気密材受け部の上端が床面と略同じ高さに設けられていると共に、下枠の上面を略フラットに設けてあるのでつまずき難く、バリアフリーにも対応できる。
【００１６】
【００１７】
【００１８】
【００１９】
【００２０】
【発明を実施するための最良の形態】
【００２１】
以下に、添付図面を参照して本発明の実施の形態を説明する。まず、図１乃至図４を参照して本発明の実施の形態について説明する。図１は図２中一点鎖線で囲んだ下戸車周辺（Ｃ）の拡大図であり、図２は図４のＡ―Ａ断面図であり、図３は図４のＢ―Ｂ断面図であり、図４は本発明の実施の形態にかかる上吊引戸の横断面図である。
【００２２】
この実施の形態にかかる上吊引戸（引戸）１は、玄関等に設置されるものであり、天井の上枠３に設けられる上レール５と、上レール５に吊り下げられた障子７と、下枠１３とからなり、障子７の上端１７に取り付けられた上戸車９が上レール５に沿って走行することで、障子７の開閉を行っている。
【００２３】
障子７は、枠組みした芯材にパネル１１を貼り付けた構成であり、障子７の下端１８には下戸車（振れ防止部材）１５が取り付けられている。
【００２４】
下戸車１５は障子７の下部に固定したばね２７の付勢力により下戸車１５が下向きに押し付けられるようになっている。
【００２５】
気密材取付部材３９は、障子７の見付方向全体に渡って設けられており、下戸車１５と一体にねじ４０で固定されている。気密材取付部材３９の室内側下端及び室外側下端にはそれぞれ気密材３５、３６の取付溝４２が形成されている。
【００２６】
下枠１３は、上面が略フラットであり、下枠１３の上面には障子７の走行方向に沿って条状の気密材受け部３１、３３が設けられている。気密材受け部３１、３３は、室内側の気密材３５を受ける室内側気密材受け部３１と、室外側の気密材３６を受ける室外側気密材受け部３３とからなる。
【００２７】
また、各気密材受け部３１、３３は、横断面略山型形状の小突起であり、室内側に位置する室内側斜面４１と室外側に位置する室外側斜面４３とをそれぞれ有している。
【００２８】
尚、ここで横断面略山型形状とは、上方に向って断面が先細った形状をいい、例えば横断面略三角形状や横断面略半円状のものをいう。
【００２９】
また、下枠１３における室内側気密材受け部３１と室外側気密材受け部３３とに挟まれる位置には、気密材受け部３１、３３と同形状を有する走行部２９が設けられている。そして、障子７の下端に設けた振れ防止部材１５が走行部２９に嵌合して障子７が案内される。
【００３０】
気密材３５、３６は、障子７の見付方向全体に渡って設けられており、下方に向けて弾性変形可能な３本の片４５、４７、４９が垂れ下がっている。気密材３５、３６の３本の片４５、４７、４９のうち、一方の片４５は、気密材受け部３１、３３の室外側斜面４３の上部付近に当接しており、両側の他方の片４７、４９は室内側斜面４１及び室外側斜面４３の下端部近くまで位置している。
【００３１】
走行部２９及び気密材受け部３１、３３の上端は床面３７と略同じ高さに設けられており、特に床面３７から頂部３８までの高さ（図１中（ｈ）で示す）を約３ｍｍ以下としている。
【００３２】
次に、本実施の形態にかかる上吊引戸１の作用について説明する。障子７の開閉時には、上戸車９が上レール５に沿って走行すると共に、障子７の下端１８に設けた下戸車１５が走行部２９に嵌合した状態で移動する。気密材受け部３１、３３を横断面略山型形状にしているので、砂や埃が気密材受け部３１、３３に付着しようとすると、山型に沿って砂や埃が下方に落下して、気密材受け部３１、３３に砂や埃が残らない。従って、気密材３５、３６の先端が気密材受け部３１、３３に当接しても、障子７の開閉時に、下枠１３に溜まった砂等との摩擦による気密材３５、３６の摩耗を防止でき、気密材３５、３６の耐用寿命を長くすることができる。
【００３３】
また、障子７の室外側下端に設けた気密材３６の一方の片４５を室外側気密材受け部３３の室外側斜面４３に当接させているので、室外側から風圧を受けた場合に、一方の片４５と室外側斜面４３との間の密着度を高めることができ、障子７を閉めた状態において、室外側から水やほこり、風、光等が室内に入り込むのを防止できる。
【００３４】
一方の片４５は、砂や埃が下方に落下して残りにくい室外側斜面４３の上部に当接させたので、砂等との摩擦による気密材３６の摩耗を防止できる。さらに、他方の片４７、４９を室外側斜面４３の下端部付近の位置まで設けたので、室外側から砂や埃が気密材受け部内に進入し難く、砂等との摩擦による気密材３６の摩耗をさらに防止できる。
【００３５】
障子７の室外側下端及び障子７の室内側下端に、それぞれ気密材３５、３６を取り付けたので、室外側及び室内側の何れの側からの正圧に対しても、気密性をさらに高めることができる。また、下戸車１５が気密材３５、３６で隠れるので、見栄えが良い。
【００３６】
下枠１３は、各気密材受け部３１、３３が上方に突出した横断面略山型形状であるので、凹状にした場合のように、砂や埃が各気密材受け部３１、３３と気密材３５、３６との間に入り込まず、清掃が簡単である。
【００３７】
本発明は、上述した実施の形態に限らず、本発明の要旨を逸脱しない範囲で種々変形可能である。
【００３８】
例えば、上述の実施の形態では、障子７の下端に下戸車１５を設けたが、図１に示すように下戸車１５を設けても良いし、図５に示すように下戸車１５を設けなくてもよい。
【００３９】
気密材３５、３６は、３本の片４５、４７、４９を備えたが、１本の片でも良く、２本或いは４本以上であっても良く数は限定されない。
【００４０】
気密材取付部材３９は、ばね２７の付勢力により圧接するようにしたが、障子７の下端１８に固定してあっても良い。
上吊引戸１は、玄関に設置されるものに限らず、間仕切りに用いられるものであっても良い。
【００４１】
障子７は、芯材にパネル１１を貼り付けた構成に限らず、パネル１１とパネル１１の周囲に組付けた框とから成る構成であってもよい。
【００４２】
また、上述の実施の形態では、下枠１３に各気密材受け部３１、３３を形成したが、これに限定されず、図５に示すように、各気密材受け部３１、３３を床面に直接設けてあっても良い。
【図面の簡単な説明】
【００４３】
【図１】図２中一点鎖線で囲んだ下戸車周辺（Ｃ）の拡大図である。
【図２】図４のＡ―Ａ断面図である。
【図３】図４のＢ―Ｂ断面図である。
【図４】本発明の実施の形態にかかる上吊引戸の横断面図である。
【図５】本発明の変形例にかかる上吊引戸の縦断面図である。
【符号の説明】
【００４４】
１          上吊引戸（引戸）
３          上枠
５          上レール
７          障子
１３        下枠
３１        室内側気密材受け部（気密材受け部）
３３        室外側気密材受け部（気密材受け部）
３５、３６  気密材
３７        床面
４１        室内側斜面
４３        室外側斜面
４５        一方の片
４７、４９  他方の片